(57)【要約】      （修正有）【課題】長期間の使用によって、ベルト間に高低差が生じた場合であっても、印面にインキパッドをより強く押圧でき、捺印印影に濃淡差が生じない印面キャップを提供する。【解決手段】下部に印字体１２を収納した印判本体の下端に着脱自在に嵌合される印面キャップであって、前記印面キャップの内壁面に、インキパッド６を備えたインキパッド受け３を昇降自在に遊嵌し、前記インキパッド６は、印面キャップ嵌合時前記印字体１２に常時当接し、前記印面キャップの下端にスプリング５を介してプッシュボタン４を昇降自在に装着し、前記スプリング５の弾発力に抗して前記プッシュボタン４を押すことにより、前記プッシュボタン４の上端部が前記インキパッド受け３下部を押圧することで、前記インキパッド６を備えたインキパッド受け３が上昇し、その上昇した分インキパッド６が前記印字体に押圧されるようにした。【選択図】図２
2010143151.tif 000002
【特許請求の範囲】
【請求項１】
下部に印字体を収納した印判本体の下端に着脱自在に嵌合される印面キャップであって、前記印面キャップの内壁面に、インキパッドを備えたインキパッド受けを昇降自在に遊嵌し、
前記インキパッドは、印面キャップ嵌合時前記印字体に常時当接し、
前記印面キャップの下端にスプリングを介してプッシュボタンを昇降自在に装着し、
前記スプリングの弾発力に抗して前記プッシュボタンを押すことにより、前記プッシュボタンの上端部が前記インキパッド受け下部を押圧することで、前記インキパッドを備えたインキパッド受けが上昇し、その上昇した分インキパッドが前記印字体に押圧されることを特徴とする印面キャップ。
【請求項２】
前記印面キャップの下部を着脱自在に分離して補充口栓とし、前記補充口栓の下端に前記スプリングを介して前記プッシュボタンを昇降自在に装着したことを特徴とする請求項１に記載の印面キャップ。
【請求項３】
前記上昇した分が印面受け下端から前記印字体下端までの距離となるようにしたことを特徴とする請求項１または請求項２に記載の印面キャップ。
【発明の詳細な説明】
【技術分野】
【０００１】
本発明は、印判本体と着脱自在に嵌合する印面キャップに関するものである。
【背景技術】
【０００２】
印字体の印面と接触するインキパッドが内蔵された印面キャップは既に知られている（例えば、特許文献１参照）。また、インキパッドと印面との接触度合の不足分を修正する印面キャップも既に知られている（例えば、特許文献２、特許文献３参照）。また、不使用時にはインキパッドと印面は接触していないが、使用時にインキパッドと印面を接触させる印面キャップも既に知られている（例えば、特許文献４参照）。
そして、このように構成された印面キャップは、印面にインキを付着させた後、印面キャップを外して印面を露呈させ、この状態で外装を把持して被捺印物に対して押圧捺印を行うものである（特許文献１、段落番号０００８に記載）。
【特許文献１】特許第２７５６１０３号公報
【特許文献２】特許第３６４２３９３号公報
【特許文献３】登録実用新案第３００４１７８号公報
【特許文献４】実開昭５５−１５４１５８号公報
【発明の開示】
【発明が解決しようとする課題】
【０００３】
これら印面キャップの課題は、不使用時において印判本体に印面キャップを嵌合装着したときの印面とインキパッドとの接触度合である。通常、初期設定では印面とインキパッドの接触は十分に担保されているが、長期間による使用によって、特に日付印の印字ベルトでは、ベルトの捺印印影の濃淡差が生じる。日付印の印字ベルトは年、月、日のベルトの組合わせにより並び、それらは常にインキパッドに接触している。接触している以上、それらベルトにはインキが浸透し、ベルトは膨潤する。そのベルトの膨潤により、ベルト間で高低差が生じることは不可避で、その結果、ベルトの捺印印影の濃淡差が生じるものである。特許文献１の印面キャップは、この課題を有している。
特許文献２、特許文献３の印面キャップは、インキパッドと印面との接触度合の不足分をばね部材の弾性変形量で修正するものであるが、常時ばね部材の付勢力を受けてインキパッドと印面とが接触しているため、印面文字が潰れる原因となっている。印面文字が潰れると、捺印印影が不鮮明となる不具合が生じる。
特許文献３の印面キャップは、使用時にインキパッドと印面を接触させる構成であるが、不使用時はインキパッドと印面が離れているため、即座に使用することが困難な上、使用時においては、インキパッドと印面の接触寸法が規制されていないため、インキが過剰に付着し、捺印時に印影がベタつく不具合が生じる。
【課題を解決するための手段】
【０００４】
上記の課題を解決するために完成された第１の発明の印面キャップは、下部に印字体を収納した印判本体の下端に着脱自在に嵌合される印面キャップであって、前記印面キャップの内壁面に、インキパッドを備えたインキパッド受けを昇降自在に遊嵌し、前記インキパッドは、印面キャップ嵌合時前記印字体に常時当接し、前記印面キャップの下端にスプリングを介してプッシュボタンを昇降自在に装着し、前記スプリングの弾発力に抗して前記プッシュボタンを押すことにより、前記プッシュボタンの上端部が前記インキパッド受け下部を押圧することで、前記インキパッドを備えたインキパッド受けが上昇し、その上昇した分インキパッドが前記印字体に押圧されることを特徴とする。
また、第２の発明は、前記印面キャップの下部を着脱自在に分離して補充口栓とし、前記補充口栓の下端に前記スプリングを介して前記プッシュボタンを昇降自在に装着したことを特徴とする請求項１に記載の印面キャップである。
また、第３の発明は、前記上昇した分が印面受け下端から前記印字体下端までの距離となるようにしたことを特徴とする請求項１または請求項２に記載の印面キャップである。
【発明の効果】
【０００５】
本発明は、常時インキパッドと印面を接触させることで即座に捺印を可能とする点は従来と同じであるが、長期間の使用によって、ベルト間に高低差が生じた場合であっても必要時にプッシュボタンを押すことで、印面にインキパッドをより強く押圧でき、捺印印影に濃淡差が生じないものである。特に切り替え後のベルトにインキを付着させる際に有用である。また、必要時にのみプッシュボタンを押すものであるため、印面文字にばね部材の付勢力といった必要以上の付加がかからず、印面文字の潰れを軽減できる。
また、プッシュボタンを繰り返し押すと、インキパッドの上層にインキを上昇させる作用が生じ、インキパッド下層のインキを効率よく消費することができる。
また、印面キャップの下部を着脱自在に分離して補充口栓とした場合は、インキパッド受け下方からインキの補充が可能となり有用である。
また、プッシュボタンを押してインキパッドを上昇させた分が、印面受け下端から印字体下端（印面）までの距離（以下、文字出し寸法という）と同じであれば、印面にインキが過剰に付着することがないため、捺印する際印影がベタつかない。
さらに、プッシュボタンの上端部からインキパッド受け下部までの距離に遊びを設ければ、使用者に使用感を付加させることができ有用である。
【発明を実施するための最良の形態】
【０００６】
次に、本発明の好ましい実施の形態を図に基づいて詳細に説明する。尚、本発明で「上」は印判本体側を指し「下」とは印面キャップ側を指す。
まず、本発明第１の実施形態を説明する。
印判本体１は、下端に印面キャップ２を着脱自在に嵌合するものであれば特に制限はなく、例えば特許文献１、第１図に示されるような、従来から良く知られた印判を使用することができる。特に、印字体１２を備えた印面受け１１を下部に収納し、印面受け１１および印字体１２の略中央部分には、印字ベルト１３を望む窓孔１４が設けられている。前記印面受け１１下端から、前記印字体１２および印字ベルト１３の下端までの距離である、いわゆる文字出し寸法ａ１は、０．２ｍｍ〜０．３ｍｍに設計されている。
印判本体１の外周面下方には、印面キャップ２と嵌合するための嵌合部１５を設けてある。前記印字体１２および印字ベルト１３としては、原料ゴム、加硫剤、充填剤、軟化剤、着色剤、老化防止剤、その他の添加剤などから構成されるゴム印や、インキを吸蔵できる様にスポンジゴム等の無数の連続気孔を有した多孔性印材を用いることができる。
【０００７】
前記印面キャップ２は、両端面が開口したプラスチック製の筒形状で、上端には前記印判本体１を着脱自在に取付けたものである。印面キャップ２の内壁面には、突片２１を突出形成する。突片２１の個数や形状に制限はないが、少なくとも印面キャップ下端から同じ距離の位置に設けてあればよい。
印面キャップ２の下端内周面を内側に向かって鍔状に張り出させ、その張り出させた先端から下方に向かってリブ２２を延設することで、リブ２２の外方に樋部２３を設ける。また、リブ２２の内周面上端には、段部２４を設ける。
前記印面キャップ２の内壁面上方には、前記印判本体１の嵌合部１５と嵌合する嵌合部分２５が設けられる。嵌合部１５と嵌合部分２５の嵌合は、互いに着脱可能に嵌め合えばよいため、面対面のいわゆる圧入嵌合や、面対突起、突起対突起、突起対窪み等のあらゆる嵌合が可能である。ここで、印面キャップ２の形状は、両端が開口した筒形状であれば特に制限はないため、その断面形状が、例えば円形、楕円形、各種多角形でもよい。
【０００８】
インキパッド受け３は、上端面が開口したプラスチック製の有底筒状で、上端側から大径部３１と小径部３２を有している。大径部外周面には、溝部３３が設けられ、前記突片２１と遊嵌する。ここで遊嵌とは、嵌めた物と嵌められた物との間に間隔がある状態であり、前記溝部３３と前記突片２１は、遊びがある状態に嵌められた、遊嵌部を形成する。
ここで、インキパッド受け３は印面キャップ２内を昇降自在に遊嵌されればよいため、前記溝部３３と前記突片２１との関係は逆でもよく、例えば、大径部３１に突片を設け、印面キャップ２の内壁面に溝部を設けてもよいものである。このようにして、インキパッド受け３の昇降距離ａ２は、この遊嵌部により設定される。
そして、印判本体１が印面キャップ２に嵌合された場合、インキパッド受け３は前記遊嵌部の最下位置となるように設計され、その際後述するインキパッド６の上端面と印面は当接するように設計される。
ここで、遊嵌部が、周方向に回転可能に設計されていれば、印判本体１の回転に対して、インキパッド受け３も供回りするため、インキパッド６と当接している印面がインキパッド６上で擦れて印面に欠損が生じる可能性を排除することができる。
【０００９】
プッシュボタン４は、上端面が開口したプラスチック製の有底筒状で、下端に鍔状に張り出したフランジ部４１を有している。外底面には、滑り止め用のディンプル（窪み）を設けてもよい。上端外周面には鉤部４２を有し、印面キャップに設けた段部２４に抜け止め状に装着される。印面キャップは、インキパッド受け３の小径部３２を被装するように装着され、インキパッド受け３の大径部３１下端とプッシュボタン４の上端面との間に間隔ａ３を設け、また、印面キャップ２のリブ２２下端とフランジ部４１との間に間隔ａ４を設けるように装着する。ここで、前記間隔は、ａ３＜ａ４となるように設計する。こうすることで、プッシュボタン４の上端面は、必ずインキパッド受け３の大径部３１下端に当接する。これにより、プッシュボタン４は、印面キャップ２に昇降自在に装着されることになる。また、前記インキパッド受け３の昇降距離ａ２との関係は、ａ２＋ａ３＜ａ４となるように設計する。
【００１０】
スプリング５は、印面キャップ２の樋部２３と、プッシュボタン４のフランジ部４１との間に介挿され、プッシュボタン４を下方に向かって付勢する。こうすることで、不使用時は、プッシュボタン４の鉤部４２と印面キャップに設けた段部２４が当接して、プッシュボタン４は印面キャップ２に対して抜け止め状に装着され、また、スプリング５の弾発力に抗してプッシュボタン４を押した時は、プッシュボタンを上昇させることができる。
【００１１】
インキパッド受け３の内底面に、前記印字体１２および印字ベルト１３の印面に当接してインキを供給するインキパッド６を設ける。前記インキパッド６の材質は、インキを含浸保持できるものであれば特に指定はなく、例えば連続気泡を有するポリウレタンフォーム、連続気孔を有する多孔質ゴム材、ポリビニルホルマールの多孔質体、金属多孔質体、プラスチゾル、連続気泡を有するオレフィン系樹脂の粉末燒結体、フェルト、ポリプロピレン・パンチングフェルト等の材料を、単独あるいは、層状に重ねて用いることができる。層状に重ねる場合は、上に向かう程、その毛細管力は大きくなるものとする。インキパッド６をインキパッド受け３内底面に固定する方法は、圧入固定、接着固定、固定リング等の別部材で挟着して固定する方法等、固定されるのであればその方法は問わない。また、インキパッド６に含浸されるインキは、顔料系、染料系、油性系、水性系を問わず、印判用インキとして知られているもの全てが適宜使用可能である。
【００１２】
次に、以上のように構成された本発明第１の実施形態による印面キャップの使用方法を説明する。
印判本体１と印面キャップ２が嵌合しているとき、つまり不使用時は、印字面とインキパッド６は接触しており、インキパッド６から印面へインキが供給転写されている。そして、捺印する際は、前記印面キャップ２を外して、インキが転写された印面を露呈し、この状態で印判本体を把持して被捺印物に対して押圧捺印を行う。印面キャップを装着する場合は、前記と逆の工程を経ればよい。ここまでは、従来の印面キャップの使用方法と同じである。
ここで、日付印の「日」のベルトを一日分回転させた場合、他の「年」「月」ベルトと比較してインキの付着量が少なく、捺印印影に濃淡差が生じる場合がある。あるいは、「日」のベルトだけ膨潤量が少なく（１３ａ）、ベルト間で高低差が生じ、その結果、ベルトの捺印印影に濃淡差が生じる場合がある。そういった場合に、前記プッシュボタン４をスプリング５の弾発力に抗して上方へ押圧することにより、印面にインキパッド６をより強く押圧でき、その結果、「日」のベルトにも十分なインキを付着させることができる。
前記プッシュボタン４を上方へ押圧すると、プッシュボタン４の上端面がインキパッド受け３の大径部３１下端を押圧し、それによりインキパッド６を備えたインキパッド受け３が、遊嵌部の最下位置から最上位置まで上昇する。これにより、インキパッド６が印面に遊嵌部の設計寸法分押圧され、十分なインキを付着させることができる。プッシュボタン４の押圧を解除すれば、スプリング５の弾発力により、プッシュボタン４は当初位置へ戻る。こうした後、印面キャップ２を外して、押圧捺印を行うものである。
【００１３】
次に、本発明第２の実施形態を説明する。尚、ここでは、前記した第１の実施形態と異なる点のみを説明する。
前記印面キャップ２の下部を着脱自在に分離して補充口栓７とする。印面キャップ２と補充口栓７の嵌合方法は、互いに着脱可能に嵌め合えばよいため、面対面のいわゆる圧入嵌合や、面対突起、突起対突起、突起対窪み等のあらゆる嵌合が可能である。また、印面キャップ２の下部にＬ字形状の溝を設け、補充口栓７内周面の対向する位置に突起を設け、周方向に回動して嵌合することで、上下方向に抜け止めされるように設計してもよい。
補充口栓７は、前記リブ２２と樋部２３と段部２４を有し、段部２４でプッシュボタン４を抜け止め状に装着している。よって、補充口栓７を印面キャップ２から分離すると、補充口栓７に装着されたプッシュボタン４も一緒に分離され、印面キャップ２の下端にはインキパッド受け３の下端面が露呈する。インキパッド受け３の下端面中央には、インキパッド６下端面を臨むインキ補充口３４を設ける。
【００１４】
次に、以上のように構成された本発明第２の実施形態による印面キャップの使用方法を説明する。尚、ここでは、前記した第１の実施形態と異なる点のみを説明する。
インキパッド６にインキを補充する場合は、補充口栓７を印面キャップから分離して、インキパッド受け３の下端面に設けたインキ補充口３４を露呈し、インキ補充口３４からインキを補充した後、補充口栓７を再度嵌着すればよい。このような構成は、インキパッド６を層状に重ねた場合に特に効果が高い。つまり、層状に重ねた場合は、材料の密度を疎にして、下層の方が毛細管力が弱くなるように設計されているため、下層ほどインキの浸透性が高い。そのため、最上層のインキパッドの表面からインキを補充するよりも、インキ補充の時間が早くてすむ。
【００１５】
次に、本発明第３の実施形態を説明する。尚、ここでは、前記した第１および第２の実施形態と異なる点のみを説明する。
前記遊嵌部の距離ａ２を、印面受け１１下端から、印字体１２および印字ベルト１３の下端までの距離に設定する。印面受け１１下端から、印字体１２および印字ベルト１３の下端までの距離は、いわゆる文字出し寸法ａ１と呼ばれ、遊嵌部の距離ａ２をこの文字出し寸法と同じにする（ａ１＝ａ２）。この文字出し寸法は、０．２ｍｍ〜０．３ｍｍに設計されているため、遊嵌部の距離ａ１は、０．２ｍｍ〜０．３ｍｍに設定される。
【００１６】
次に、以上のように構成された本発明第３の実施形態による印面キャップの使用方法を説明する。尚、ここでは、前記した第１および第２の実施形態と異なる点のみを説明する。
遊嵌部の距離ａ２をこの文字出し寸法と同じにすることで、前記プッシュボタン４を押圧した際、印面の文字出し寸法分インキパッド６が押圧されるので、印面にインキパッド６が適切に押圧され、ベルト間で高低差が生じている場合でも、ベルトの捺印印影に濃淡差が生じることは勿論なく、また、過剰なインキが印面に付着することも防止できる。
【００１７】
尚、本発明を前記実施例により説明したが、本発明は前記実施形態に限定されるものではなく、本発明の要旨を逸脱しない範囲内で種々の改良、変形が可能であることは勿論である。
【図面の簡単な説明】
【００１８】
【図１】第１の実施形態の印判本体と印面キャップが嵌合している状態を示す図
【図２】第１の実施形態の不使用時の拡大断面図
【図３】第１の実施形態の使用時の拡大断面図
【図４】第２の実施形態の印判本体と印面キャップが嵌合している状態を示す図
【図５】第２の実施形態の補充口栓を分離した拡大断面図
【符号の説明】
【００１９】
１    印判本体
１１  印面受け
１２  印字体
１３  印字ベルト
１３ａ膨潤量が少ない印字ベルト
１４  窓孔
１５  嵌合部
２    印面キャップ
２１  突片
２２  リブ
２３  樋部
２４  段部
２５  嵌合部分
３    インキパッド受け
３１  大径部
３２  小径部
３３  溝部
３４  インキ補充口
４    プッシュボタン
４１  フランジ部
４２  鉤部
５    スプリング
６    インキパッド
７    補充口栓
【図１】
2010143151.tif 000003
【図２】
2010143151.tif 000004
【図３】
2010143151.tif 000005
【図４】
2010143151.tif 000006
【図５】
2010143151.tif 000007